(57)【要約】【課題】  上吊引戸の引戸本体を上吊レールにロックしてその開閉状態を維持できるようにする。【解決手段】  上吊レール２を下向き開口の断面倒Ｃ字状に形成し、その開口側に下向き傾斜した傾斜ガイド２１に上位ローラー５１を載置し、開口を挟む対向突条２２先端に下位ローラー５２を対接する一方、下レール３に振止ローラー６を案内して、引戸本体４を上吊支持して、スムーズ且つ軽量な開閉を行なうようにする。上吊レール２の引戸本体４戸尻側の上位ローラー５１位置にローラーストッパー２５とロックバネ２６を配置して引戸本体４を開成したとき、該上位ローラー５１をこれらによって挟持して、引戸本体４の開閉状態を維持する。【選択図】  図７
2010203039.tif 000002
【特許請求の範囲】
【請求項１】
下向き開口の断面倒Ｃ字状に形成した上吊レールの開口に向けて下向き傾斜した傾斜ガイドに径大の上位ローラーの外周下端を転動自在に載置し且つ該傾斜ガイドと開口を挟む対向突条の開口端に径小の下位ローラーを転動自在に対接することによって、上框長手方向複数個所に配置した上下位を対とする上吊ローラーによって引戸本体を上吊支持した上吊引戸であって、上記上吊レールの引戸本体開放時の戸尻側の上吊ローラー位置にその上位ローラーの進行を阻止するローラーストッパーとその手前の傾斜ガイドに交差突出したロックバネを設置してなることを特徴とする上吊引戸。
【発明の詳細な説明】
【技術分野】
【０００１】
本発明は、建具に関し、特に上吊引戸に関する。
【背景技術】
【０００２】
この種の建具について、既に、下向き開口の断面倒Ｃ字状に形成した上吊レールの開口に向けて下向き傾斜した傾斜ガイドに径大の上位ローラーの外周下端を転動自在に載置し且つ該傾斜ガイドと開口を挟む対向突条の開口端に径小の下位ローラーを転動自在に対接することによって、上框長手方向複数個所に配置した上下位を対とする上吊ローラーによってシャッター本体の戸体を上吊支持した横引きシャッターを提案している。
【先行技術文献】
【特許文献】
【０００３】
【特許文献１】特願２００８−９２０３５号出願
【発明の概要】
【発明が解決しようとする課題】
【０００４】
この場合、上吊レールの傾斜ガイドに対して上位ローラーの外周下端を線接触して転動するようにする一方、傾斜ガイドと開口を挟んで配置した対向突条の開口端に下位ローラーを対接して転動するようにしたことによって、上吊レールに対して上位ローラーが戸体の荷重を支持し、下位ローラーが戸体の垂直状態を維持して上位ローラーの上記線接触の転動を常時可能ならしめて、戸体のスムーズ且つ軽量な開閉を可能にした確実な上吊支持を行なうことができるし、必要に応じて上吊レールを直交配置して、一方の上吊レールから他方の上吊レールに対する方向転換を可能にするように構成することもできる。
【０００５】
本発明は、この上吊支持の構造を適用することによって、スムーズ且つ軽量開閉をなし得るようにするとともにその使い勝手を向上した上吊引戸を提供することを課題とする。
【課題を解決するための手段】
【０００６】
上記課題に沿って本発明は、上記スムーズ且つ軽量な開閉をなし得る上吊支持を行なうとともに可及的簡易な構造によって引戸本体を開成したとき、上吊レールに設置したローラーストッパーとロックバネによって、上記上下位ローラーのうちの上位ローラーを保持するようにして、該引戸本体の開成状態を確実に維持し、開成状態における引戸本体の揺動を回避し得るようにしたものであって、即ち、請求項１に記載の発明を、下向き開口の断面倒Ｃ字状に形成した上吊レールの開口に向けて下向き傾斜した傾斜ガイドに径大の上位ローラーの外周下端を転動自在に載置し且つ該傾斜ガイドと開口を挟む対向突条の開口端に径小の下位ローラーを転動自在に対接することによって、上框長手方向複数個所に配置した上下位を対とする上吊ローラーによって引戸本体を上吊支持した上吊引戸であって、上記上吊レールの引戸本体開放時の戸尻側の上吊ローラー位置にその上位ローラーの進行を阻止するローラーストッパーとその手前の傾斜ガイドに交差突出したロックバネを設置してなることを特徴とする上吊引戸とし、これを発明の要旨として上記課題解決の手段としたものである。
【発明の効果】
【０００７】
本発明は以上のとおりに構成したから、請求項１に記載の発明は、スムーズ且つ軽量な開閉をなし得る上吊支持を行なうとともに可及的簡易な構造によって引戸本体を開成したときに、上吊レールに設置したローラーストッパーとロックバネによって、上記上下位ローラーのうちの上位ローラーを保持するようにして、該引戸本体の開成状態を確実に維持し、開成状態における引戸本体の揺動を回避し得るようにして、その使い勝手を向上した上吊引戸を提供することができる。
【図面の簡単な説明】
【０００８】
【図１】上吊引戸の正面図である。
【図２】上吊引戸の横断面図である。
【図３】上吊引戸の側面図である。
【図４】上吊レールと上下位ローラーの関係を示す縦断面図である。
【図５】上吊レールの縦断面図である。
【図６】ローラーストッパーとロックバネの配置状態を示す上吊レールの部分切欠き平面図である。
【図７】下レールと振止ローラーの関係を示す縦断面図である。
【発明を実施するための形態】
【０００９】
以下図面の例に従って本発明を更に具体的に説明すれば、１は、例えばアルミ押出材を用いて構成した片引きの上吊引戸であり、本例にあって該上吊引戸１は、玄関回りに配置した門や門袖の如き屋外の構築物に用いるようにした、片側に固定のスクリーン１３を備え、他の片側に該スクリーン１３の背面に開閉自在とした引戸本体４を備えたものとしてある。
【００１０】
引戸本体４は、上吊レール２に上吊ローラー５を、地表やデッキ材表面に配置した下レール３に振止ローラー６を配置することによって、その上吊支持を行って上吊レール２と下レール３の長手方向に開閉自在としたものとしてあり、このとき、上記上吊レール２に対する上吊ローラー５による引戸本体４の上吊支持は、下向き開口の断面倒Ｃ字状に形成した上吊レール２の開口２４に向けて下向き傾斜した傾斜ガイド２１に径大の上位ローラー５１の外周下端を転動自在に載置し且つ該傾斜ガイド２１と開口２４を挟む対向突条２２の開口端に径小の下位ローラー５２を転動自在に対接することによって、上框４２長手方向複数個所に配置した上下位を対とする上吊ローラー５によって、これを行なうものとしてある。
【００１１】
本例にあって上吊レール２は、支柱１１に架設した上枠１２に添設するように設置して該上枠１２から引戸本体４の背面側に突出するように固定した、上記上枠１２とは別部材によるものとしてあり、このとき該上吊レール２は、これを溝レールとするように下向き開口２４の断面倒Ｃ字状の形状を呈するように下向き開口２４を挟んでその一方、本例にあっては上枠１２側に開口２４に向けた下向き傾斜の傾斜ガイド２１を、他方、本例にあっては突出側に該傾斜ガイド２１に向けて、例えば水平の対向突条２２を配置してあり、本例にあって傾斜ガイド２１は、これを短寸の突出幅の傾斜突条とし、上記対向突条２２は、これを長寸の突出幅の水平突条として構成してあり、このとき対向突条２２の高さ位置を傾斜ガイド２１の突出方向下端と同等か、これよりやや低く、本例にあっては略同等高さに配置したものとしてある。
【００１２】
本例にあって引戸本体４は、例えば、上框４１、下框４２と戸先側及び戸尻側の縦框４３を框組みした枠内に多数の縦小桟を配置した千本格子の外観を呈するものとして、同じく枠内に多数の縦小桟を配置して形成した上記スクリーン１３と意匠を合せてある。該引戸本体４は、その上框４１に上記上位ローラー５１と下位ローラー５２を上下に対とした上吊ローラー５を、下框４２に上記振止ローラー６を、それぞれ長手方向に複数箇所、本例にあっては長手方向に２ヶ所配置してあり、これによって該引戸本体４を上記上吊レール２と下レール３によってこれらレール長手方向に開閉自在としてある。
【００１３】
上吊ローラー５は、上位ローラー５１を径大の水平ローラー、下位ローラー５２をこれより径小の同じく水平ローラーとしてあり、本例にあって径大の上位ローラー５１は、これを、上吊レール２の傾斜ガイド２１と対向突条２２間に位置するように下向き開口２４の幅より大きな径を有して形成する一方、下位ローラー５２は、これを、該下向き開口の幅に合せて、これよりやや大きな径を有して形成したものとしてある。
【００１４】
該上吊ローラー５は、上框４１に起立した支軸に上下に重合してそれぞれ回転自在に軸支することによって、その上吊レール２に転動自在としてあり、このとき上吊レール２に対して該上吊ローラー５は、傾斜ガイド２１に上位ローラー５１を線接触状にその外周下端を載置して、その開口側への滑動や脱落を防止するように、下位ローラー５２を対向突条２２の開口端、本例にあっては上向き小突条２３を備えた開口端に下位ローラー５２を細幅の面接触を行なうように対接することによって、傾斜ガイド２１における上位ローラー５１の位置を規制するようにしてあり、該位置規制下で、上記上位ローラー５１が引戸本体４の荷重を支持し、下位ローラー５２が該引戸本体４の垂直状態を維持するようにして、該上位ローラー５１の傾斜ガイド２１に対する線接触の転動を常時可能とし、これによって引戸本体４の上吊支持とそのスムーズ且つ軽量な開閉を行なうようにしてある。
【００１５】
一方、振止ローラー６は、該上位ローラー５の垂直状態を引戸本体４の下端において保持して、引戸本体４が前後に揺動することによる開閉不良を防止してあり、本例にあって該振止ローラー６は、下レール３の溝幅に応じてこれを直進する径を有する同じく水平ローラーによるものとしてある。
【００１６】
このように形成した本例の上吊引戸１は、上記上吊レール２の引戸本体４開放時の戸尻側に位置する上吊ローラー５位置にその上位ローラー５１の進行を阻止するローラーストッパー２５とその手前の傾斜ガイド２１に交差突出したロックバネ２６を設置してあり、これによって、スクリーン１３の背面に片引きの引戸本体４を送り込み、引戸本体４を全開するように開成したとき、その開成状態を確実に維持するものとしてある。
【００１７】
本例にあって該ローラーストッパー２５とロックバネ２６は、ローラーストッパー２５を上吊レール２長手方向の引戸本体４開成方向端部側に、ロックバネ２６を、上位ローラー５１の径より幾分小さめの間隔を置いて該ローラーストッパー２５から離隔した中間側に配置してある。
【００１８】
本例にあってローラーストッパー２５は、上吊レール２の終端をなし、上位ローラー５１の進行を阻止するように、例えば、ブロック部材を、該上吊レール２の天壁に、例えばネジ２７止めして固定することによって、該天板下位の上吊レール２における開口２４上部を閉塞し、該開口２４上部で上記傾斜ガイド２１に載置した上位ローラー５１の進行方向先端に対接することによってその進行を阻止するものとしてある。
【００１９】
また、本例にあってロックバネ２６は、上吊レール２の傾斜ガイド２１に交差突出し、引戸本体４の開成力を受けた上位ローラー５１による押圧変形によって該上位ローラー５１の通過を許容するも、形状の復元によって上位ローラー５１の戻り移動を阻止するように、帯状の板バネの長手方向中央を平面Ｕ字状をなす如くに湾曲形状をなし、長手方向両端を、例えば、上吊レール２の上枠１１側乃至突出側の垂直壁にネジ２７止めすることによって、該上吊レール２に固定したものとしてある。
【００２０】
従って上吊引戸１の片引きの引戸本体４を、その引手４４によって開成すれば、引戸本体４は、上吊レール２に上吊ローラー５が、下レール３に振止ローラー６がそれぞれ転動して、これら上吊レール２と下レール３の案内によってスクリーン１３の背面を戸袋とするようにスムーズ且つ軽量な開成を行なうとともに、その戸尻側の上吊ローラー５がロックバネ２６の位置に達すると、その上位ローラー５１が、これを強制的に圧縮変形するように該ロックバネ２６を乗り越え、ローラーストッパー２５に対接してその転動進行を停止するに至り、このときロックバネ２６が形状復元を行なって、該上位ローラー５１の戻りを抑制する結果、ローラーストッパー２５とロックバネ２６が、該上吊ローラー２、特に上位ローラー５１を挟持するように保持し、該引戸本体４の開成状態を維持し、開成状態におけるその揺動を回避することができる。
【００２１】
図示した例は以上のとおりとしたが、上吊引戸を引違い戸として、その引戸本体一方又は双方の戸尻側の上吊レール端部位置に上記ローラーストッパーとロックバネを配置したものとすること、ローラーストッパーを上吊レールの傾斜ガイドと対向突条間に亘るようにブロック部材、板材等を架設配置すること等を含めて、本発明の実施に当って、上吊引戸、上吊レール、傾斜ガイド、対向突条、開口上位ローラー、下位ローラー、引戸本体、ローラーストッパー、ロックバネ等の各具体的構造、形状、材質、これらの関係、これらに対する付加等は、上記発明の要旨に反しない限り様々な形態とすることができる。
【符号の説明】
【００２２】
１  上吊引戸
１１  支柱
１２  上枠
１３  スクリーン
２  上吊レール
２１  傾斜ガイド
２２  対向突条
２３  上向き小突条
２４  下向き開口
２５  ローラーストッパー
２６  ロックバネ
２７  ネジ
３  下レール
４  引戸本体
４１  上框
４２  下框
４３  縦框
４４  引手
５  上吊ローラー
５１  上位ローラー
５２  下位ローラー
６  振止ローラー
【図１】
2010203039.tif 000003
【図２】
2010203039.tif 000004
【図３】
2010203039.tif 000005
【図４】
2010203039.tif 000006
【図５】
2010203039.tif 000007
【図６】
2010203039.tif 000008
【図７】
2010203039.tif 000009